(57)【要約】【課題】  本発明は、従来と同じサイズのディスクの使用が可能でありながら、ディスクカメラの高さを低くし、より小型化を実現することが可能なディスクカメラ構造を提供することを課題とする。【解決手段】  本発明は、ディスクカメラ内において、ディスクが傾斜をもって装着されるディスクカメラ構造を提供することによって上記課題を解決する。  カメラが水平面上に置かれた状態で、水平面とディスクの記録面とがなす角が０度を超え９０度未満とする。【選択図】  図１
2005176153.tif 000002
【特許請求の範囲】
【請求項１】
ディスクを記録媒体とするカメラであって、カメラが水平面上に置かれた状態で、水平面とディスクの記録面とがなす角が０度を超えかつ９０度未満であることを特徴とするディスクカメラ。
【請求項２】
ディスクを記録媒体とするカメラであって、カメラが水平面上に置かれた状態で、垂直面とディスクの記録面とがなす角が０度を超えかつ９０度未満であることを特徴とするディスクカメラ。
【請求項３】
請求項１のディスクカメラであって、ディスクの取り付け、及び取り外しを行うための開口部が、カメラ上方向となることを特徴とするディスクカメラ。
【請求項４】
請求項２のディスクカメラであって、ディスクの取り付け、及び取り外しを行うための開口部が、カメラ上方向となることを特徴とするディスクカメラ。
【請求項５】
請求項１のディスクカメラであって、ディスクからの反射光を受光するピックアップの送るための軸を、カメラが水平面上に置かれた状態においてカメラを通過する仮想的な水平線と平行な軸、あるいは、ほぼ平行な軸にとすることを特徴とするディスクカメラ。
【請求項６】
請求項２のディスクカメラであって、ディスクからの反射光を受光するピックアップの送るための軸を、カメラが水平面上に置かれた状態においてカメラを通過する仮想的な水平線と平行な軸、あるいは、ほぼ平行な軸にとすることを特徴とするディスクカメラ。
【発明の詳細な説明】
【技術分野】
【０００１】
本発明は、ディスクを記録媒体とするカメラ（以下これをディスクカメラと呼ぶ）の構造に関するものである。
【背景技術】
【０００２】
ディスクカメラはＤＶＤを記録媒体とするものが既に商品化（非特許文献１ Ｐ１６〜Ｐ１７参照）されている。その外観を図８に示す。図８はディスクカメラ本体の左前方から見た場合の外観である。
【０００３】
ディスクカメラの主要な構成部位は三つであるが、その部位とは、映像を撮像するカメラ部、撮影対象及び記録した映像を表示するモニタ、そして、カメラ部において撮された映像データの記録及び再生を行うディスクドライブである。図８おいては、８０１がカメラ部、８０２がモニタ、８０３がディスクドライブである。また、図８において、８０４はカメラ部８０１の一部であり映像を撮像するためのレンズであり、８０５は同じくカメラ部８０１の一部であり撮影対象を確認するためのファインダー、８０６はグリップベルトである。
【０００４】
図９に、図８に示したディスクカメラを別の角度からの外観を示す。図９はディスクカメラ本体の右後方より見た場合の外観である。図９に示すように、ディスクドライブ８０３とグリップベルト８０６との間に空間がある。この空間に撮影者は右手をディスクカメラ本体下方より入れることによってディスクカメラを支持することできる。このような支持構造であるため必然的に支持手の掌はディスクドライブ側面に接触し、支持手の指がディスクドライブの上端に掛かる格好となる。
【０００５】
ところで、上記の従来ディスクカメラであるが、女性など比較的手の小さな撮影者は、ディスクドライブの高さが高く、ディスクドライブ上端に支持手の指を十分に掛けることができなかった。そのため、ディスクカメラをしっかりと支持することに難があった。このような問題は、ディスクドライブの高さを低くすれば回避できるが、従来のディスクドライブは構造上の理由からその対応が困難であった。
【０００６】
従来のディスクカメラの構造を説明するために図１０を示す。図１０は、図８及び図９に示した従来のディスクカメラを水平面に置き、撮像レンズが正面となる方向から眺めた場合の外観である。図１０において、一点鎖線で示す１００１は、ディスクカメラにおけるカメラ部とディスクドライブのおおよその境界を示すものである。一点鎖線の右側に示す８０１がカメラ部であり、一点鎖線の左側に示す８０３がディスクドライブである。図１０に示す通り、従来のディスクカメラは、カメラ部とディスクドライブが並立する構造となっていた。
【０００７】
図１１は、図１０に示したようディスクカメラを水平面に置き、撮像レンズが正面となる方向から眺めた場合のディスクカメラ内部の構造を示したものである。図１１は、以下説明する内容に関連する部位に限って記載した模式的な図である。
【０００８】
図１１において一点鎖線にて示す１１０３は、カメラ部とディスクドライブの境界を示す補助線である。補助線の右側、１１０１がカメラ部であり、補助線の左側１１０２がディスクドライブである。ディスクドライブ１１０２内の１０３はディスクを回転させるスピンドルモータ、１０４はディスクである。ディスクカメラ本体の外に描いた１０５は、ディスク１０４と同じ直径のディスクであり、ディスクカメラの高さを知る目安とするために描いたものである。なお、ディスク１０４は記録面がディスクカメラ側面と平行になるようスピンドルモータ１０３に装着されることから、図１１はスピンドルモータ１０３及びディスク１０４の側面を描いたものとなっている。
【０００９】
図１１に示すように、ディスクドライブはその大きさが規格によって規定されたディスク（例えば直径８ｃｍ）の全体を覆う構造である。そのため、ディスクドライブは必然的にディスク直径より大きなものとなる。このような理由により、従来のディスクカメラでは、カメラ部は小さくできてもディスクの大きさが制約となってディスクドライブの高さを低くすることができずカメラ全体の高さを低くすることができない。その結果として、手の小さな撮影者が安定して支持することが難しかった。
【００１０】
【非特許文献１】ＤＺ-ＭＶ３５０形 日立ＤＶＤビデオカメラ 取扱説明書（16頁−17頁）
【発明の開示】
【発明が解決しようとする課題】
【００１１】
本発明は、従来と同じサイズのディスクの装着が可能でありながら、ディスクカメラ本体の幅または奥行きを広げることなく、ディスクカメラ本体の高さを低くすることが可能なディスクカメラ構造を提供することを課題とする。
【課題を解決するための手段】
【００１２】
本発明は、ディスクカメラ内において、ディスクが傾斜をもって装着されるディスクカメラ構造を提供することによって上記課題を解決する。
【発明の効果】
【００１３】
本発明によって、従来と同じサイズのディスクの使用が可能でありながら、ディスクカメラの幅または奥行きを広げることなく、ディスクカメラ本体の高さを低くすることが可能となる。これにより、女性など比較手の小さな手の撮影者であってもディスクカメラを安定に支持することができるようになる。
【発明を実施するための最良の形態】
【００１４】
本発明は、ディスクカメラの内部構造に適用すると特にその効果を発揮する。
【実施例１】
【００１５】
図１は、本発明によるディスクカメラの内部構造を模式的に示したものである。図１１と同様にディスクカメラ本体を水平面に置き、カメラ部の撮像レンズが正面となるよう描いたものである。
【００１６】
図１に示す一点鎖線１０６は、本発明によるディスクカメラの構造を解り易くするために引いた補助線である。図１において、一点鎖線１０６上方に配置された部位１０１はカメラ部であり、一点鎖線１０６の下方に配置された部位１０２はディスクドライブである。図１に示す１０３及び１０４は、図１１に示したものと同じであり、１０３はスピンドルモータ、１０４はディスクである。また、図１の１０５は、図１１にディスクカメラの高さを知るための目安として示したディスクと同じものである。図１１ではディスク１０５よりディスクドライブ１１０２が高いが、図１ではディスク１０５よりディスクドライブ１０２は高さが低くなっている。
【００１７】
本発明の特徴は、ディスクカメラ内において、ディスクが図１に示す通り傾斜をもって装着される構造となっている点である。つまり、水平面または垂直面とディスクの記録面とがなす角度が０度を超えかつ９０度未満であることを特徴とする。この特徴により、ディスクカメラ本体の高さをディスクの直径未満に抑えることが可能である。
【００１８】
また、本発明は、ディスク装着時の傾斜角を調整することによって、ディスクカメラの幅を変えることなく高さのみ下げることができる。図１については、図１１に示した従来のディスクカメラより高さを低くしながらも、従来と同じ幅となっている。つまり、本発明は、ディスクカメラの容積を小さくしたい場合も有効である。
【００１９】
図２は、図１に示したディスクカメラからディスクを取り出す、あるいは、ディスクカメラにディスクを装着するためにディスクカメラを開いた状態を示したものである。開閉軸を、図２に示す２０１付近を通り図面を垂直に貫く軸とすると、ディスクカメラ本体上部が開口部となり、本発明が提供する構造をもったディスクカメラにとって最良である。このような開閉軸とする点も本発明の特徴である。
【００２０】
図３は、図２にとは別のディスク取り付け、及び取り外し機構を示したものである。図３に示したディスクカメラの特徴は、ディスクカメラの一部分を開閉することによってディスクの出し入れを行う点である。
【００２１】
図３においてカメラ部１０１、スピンドルモータ１０３、ディスク１０４は図１に示したものと同じものである。ディスクカメラ高さ、幅等の大きさについても、図１に示したディスクカメラと同じである。図１と異なる点はディスクドライブ３０２がスピンドルモータ１０３を矢印にて示す方向に移動させる機構をもっている点と、開閉蓋３０３が開かれることによってディスクの取り付け及び取り外しをカメラ部１０１とディスクドライブ３０２との間の隙間が見えるようになり、その隙間にディスクを挿入することでディスクが取り付けられる、あるいは同隙間からディスクを引き抜くことことができる、いわゆるスロットイン機構となっている点である。
【００２２】
スロットイン機構では、ディスクを挿抜する際にスピンドルモータがディスクと干渉しないようにする必要がある。つまり、スピンドルモータを一時的に退避するための空間が必要である。
【００２３】
図１１に示した従来のディスクカメラをスロットイン機構とすると、スピンドルモータの退避空間を確保するためにディスクドライブの幅、すなわちディスクカメラ本体の幅を増さざるを得なかった。
【００２４】
一方、本発明によるディスクカメラは、ディスクカメラ内においてディスクが傾斜をもって装着されるような構造である。そのため、図３に示すように、ディスクを挿抜する際にスピンドルモータが退避させるための空間、これをディスクカメラの幅を増すことなく確保することが可能となる。
【００２５】
なお、上記では、スロットイン機構を実現するにあたり、スピンドルモータの退避のみを挙げたが、実際にはピックアップ他、ディスクの挿抜に影響する部位を退避する必要がある。本発明によるディスクカメラは、ディスクが傾斜を持って配置される構造であることから、スピンドルモータ以外でディクスと干渉する部位についても退避させる空間を確保することが可能である。
【００２６】
図４は、図１に示すような本発明が提供する構造をもったディスクカメラにおけるピックアップの送り方向を示したものである。
【００２７】
図４は、説明の都合上、図１に示したディスクカメラ本体を、ディスクカメラ内のディスクの記録面が垂直平面と平行になるよう傾斜させ、そこにピック４０１を追加したものである。また、ディスク１０４の記録面を、４０２をもって示してある。
【００２８】
ピックアップはどの角度でも良いがディスク半径方向に送ることができ、その可動範囲は、ディスクの記録及び再生が可能な範囲を網羅する必要がある。本発明では、図４に示すピックアップ４０１の送り方向を、矢印４０３にて示すように水平方向とすることを特徴とする。この送り方向は、図４に示すピックアップ４０１が、スピンドルモータ１０３より紙面に垂直立てた軸の上を移動するイメージであるが、このような送り方向とすることによって、ディスクカメラ筐体内壁面に干渉されることなくピックアップを送ることが可能となる。このピックアップ送り方向も本発明の特徴点である。
【００２９】
本発明が提供する構造をもったディスクカメラは、その特徴的な構造のため、ディスク記録面とディスクカメラ筐体内壁面とがなす角が鋭角となる箇所が発生する。そのため、図５に示すように、図５における垂直方向にピックアップを送ると、ピックアップが筐体内壁面に遮られディスクの記録再生領域最外周まで到達できなくなる。
【００３０】
一方、本発明によるピックアップ送り方向（例えば水平方向）であれば、ディスク記録面とディスクカメラ筐体内壁面とがなす角が基本的には鋭角にはならないため、ディスクの記録及び再生が可能な範囲を網羅するピックアップ可動範囲を実現することができる。なお、図４に示したピックアップ送り方向は必須ではなく、推奨的なものである。ディスクの記録及び再生が可能な範囲を網羅することができれば、どの方向にピックアップを送っても差し支えはない。
【実施例２】
【００３１】
図６は、図１とは別のディスクカメラの構造を示したものである。図６に示すディスクカメラも、図１に示したディスクカメラと同様に、ディスクカメラ内において、ディスクが傾斜を持って装着される構造としたことが特徴である。この特徴により図６に示すディスクカメラについてもその高さを、ディスク直径より低くすることが可能である。図１に示したディスクカメラとの違いは、カメラ部とディスクドライブが一体となっている点である。
【００３２】
図６において、一点鎖線６０３は、ディスクカメラの構造を解り易くするための補助線である。一点鎖線６０３上方に配置された部位６０１はカメラ部とディスクドライブが一体となったものである。カメラ部とディスクドライブを一体化することによって、一点鎖線６０３下方には三角柱上の空間６０２が形成される。この空間６０２を利用すれば、ディスクカメラのバッテリーの格納等に活用することができる。
【００３３】
図７に図６に示した本発明によるディスクカメラを開いた状態を示す。このような状態にすることによってディスクの取り付け、取り外しが可能になる。開閉軸を、図７に示す７０１付近を通り同図面を紙面に対し垂直に貫く軸とすると、ディスクカメラ本体上部が開口部となり、本発明が提供する構造をもったディスクカメラにとって最良である。このような開閉軸とする点も本発明の特徴である。
【００３４】
以上、本発明の実施例を示したが、上記では一貫してディスクカメラの幅を増すことなく高さを低くすると述べた。これを、ディスクカメラの高さを増すことなく、幅を狭めるという場合についても、高さを幅に、幅を高さに置き換えることで本発明の適用が可能なことは言うまでもない。
【図面の簡単な説明】
【００３５】
【図１】本発明によるディスクカメラの構造を示す模式図。
【図２】図１に示すディスカメラを開いた場合の状態を示す模式図。
【図３】図１に示すディスクカメラにスロットイン機構の適用が可能なことを示す模式図。
【図４】図１に示すディスクカメラに最適なピックアップの送り方向を示す模式図。
【図５】図１に示すディスクカメラにおけるピックアップの送りにおいて問題となるケースを示した模式図。
【図６】本発明による第２のディスクカメラの構造を示す模式図。
【図７】図６に示すディスクカメラを開いた状態を示す模式図。
【図８】従来のディスクカメラをモニタ側より眺めた場合の外観図
【図９】従来のディスクカメラをディスクドライブ側より眺めた場合の外観図
【図１０】従来のディスクカメラを、撮像レンズを正面にした場合の外観図
【図１１】従来のディスクカメラを、撮像レンズを正面にした場合の内部構造を示す模式図。
【符号の説明】
【００３６】
１０１・・・本発明のディスクカメラのカメラ部、
１０２・・・本発明のディスクカメラのディスクドライブ、
１０３・・・スピンドルモータ、
１０４・・・ディスクカメラに装着されたディスク、
１０５・・・ディスクカメラの高さを知るための目安となるディスク、
１０６・・・本発明のディスクカメラのカメラ部とディスクドライブとの境界を示す補助線、
３０２・・・本発明のディスクカメラのディスクドライブ、
３０３・・・本発明のディスクカメラのディスク挿抜用開口部開閉蓋、
４０１・・・ピックアップ、
４０２・・・ディスクカメラに装着されたディスクの記録面、
４０３・・・本発明が推奨するピック送り方向、
５０１・・・本発明のディスクカメラにおいて問題となるピックアップ送り方向、
６０１・・・本発明のディスクカメラのカメラ部、ディスクドライブ一体部、
６０２・・・本発明によって形成されたディスクカメラ内の空間、
６０３・・・本発明のディスクカメラの構造を明確にするための補助線、
８０１・・・カメラ部、
８０２・・・モニタ、
８０３・・・ディスクドライブ、
８０４・・・撮像レンズ、
８０５・・・ファインダー、
８０６・・・グリップベルト、
１００１・・・従来のディスクカメラのカメラ部とディスクドライブとの境界を示す補助線、
１１０１・・・従来のディスクカメラのカメラ部、
１１０２・・・従来のディスクカメラのディスクドライブ、
１１０３・・・従来のディスクカメラのカメラ部とディスクドライブとの境界を示す補助線。
【図１】
2005176153.tif 000003
【図２】
2005176153.tif 000004
【図３】
2005176153.tif 000005
【図４】
2005176153.tif 000006
【図５】
2005176153.tif 000007
【図６】
2005176153.tif 000008
【図７】
2005176153.tif 000009
【図８】
2005176153.tif 000010
【図９】
2005176153.tif 000011
【図１０】
2005176153.tif 000012
【図１１】
2005176153.tif 000013